(57)【要約】【課題】リンギング成分を含んだ映像信号に対して適切な輪郭補正を行うことができる映像信号処理装置、映像信号処理方法及びテレビ放送受信装置を提供すること。【解決手段】リンギング検出部２７と、コアリング値生成部２８と、輪郭補正信号生成部と、出力部２９とを備える。リンギング検出部２７は入力される映像信号のリンギング成分を検出し、コアリング値生成部２８は前記検出されたリンギング成分の変化に応じてコアリング値を生成し、輪郭補正信号生成部２９は入力される映像信号から２次微分信号を算出し、この算出された２次微分信号に対してコアリングを含む非線形処理を行って輪郭補正信号を生成するものであって、前記コアリングは前記コアリング値を用いて行う。出力部２５は前記生成された輪郭補正信号を前記入力映像信号と加算して輪郭補正された映像信号を出力する。【選択図】  図１
2006179975.tif 000002
【特許請求の範囲】
【請求項１】
入力される映像信号のリンギング成分を検出するリンギング検出部と、
前記検出されたリンギング成分の変化に応じてコアリング値を生成するコアリング値生成部と、
前記入力される映像信号から２次微分信号を算出し、この算出された２次微分信号に対して振幅制限，コアリング及びゲイン調整を含む非線形処理を行って、輪郭補正信号を生成するものであって、前記コアリングは前記コアリング値生成部からのコアリング値により行う輪郭補正信号生成部と、
前記生成された輪郭補正信号を前記入力される映像信号と加算して出力する出力部と、
を具備したことを特徴とする映像信号処理装置。
【請求項２】
前記２次微分信号を入力し、該２次微分信号の振幅を前記コアリング値以下に制限して微小信号とし、この微小信号を前記輪郭補正信号又は前記入力される映像信号に反転加算することで、コアリング領域のノイズ成分を前記入力される映像信号から除去するためのノイズ成分除去信号を生成するコアリング領域ノイズ成分除去信号生成部を、
さらに具備したことを特徴とする請求項１に記載の映像信号処理装置。
【請求項３】
前記コアリング領域ノイズ成分除去信号生成部は、
前記２次微分信号を入力し、該２次微分信号の振幅を前記コアリング値以下に制限して微小信号とするリミット回路と、
前記リンギング検出部で検出されたリンギング成分に応じた負のゲインを前記微小信号に乗算する乗算回路と、
前記乗算回路により得られた負のゲインを乗算された微小信号をノイズ成分除去信号として、前記輪郭補正信号又は前記入力される映像信号に加算する加算回路と、
を備えたことを特徴とする請求項２に記載の映像信号処理装置。
【請求項４】
前記輪郭補正信号生成部は、
入力される映像信号から２次微分信号を算出する２次微分算出回路と、
前記２次微分信号に対して、大信号振幅には輪郭補正を行わないために振幅制限を行う第１のリミット回路と、
前記リンギング検出部からのリンギング成分にてコアリング値が制御され、前記第１のリミット回路から入力した信号に対して、ノイズ等の微小信号振幅に影響を受けないためにコアリングを行う第１のコアリング回路と、
前記第１のコアリング回路からの信号に対して、第１のゲイン係数で設定されるゲイン調整を行い、輪郭補正信号として出力する第１の乗算回路と、
を備えたことを特徴とする請求項１に記載の映像信号処理装置。
【請求項５】
前記リンギング検出部は、
入力映像信号の輝度に対するエッジを検出するための輝度エッジ検出回路と、
前記輝度エッジ検出回路で検出したエッジレベルを一方の入力端に入力し、以前のエッジレベルを他方の入力端に入力して両入力を比較し、その差分を出力するもので、エッジ検出時に最大レベルを出力し、これを前記他方の入力端に適宜の減衰レベルを設定するフィードバックゲインでフィードバックし、且つその前記他方の入力端へのフィードバックの際、画素ごとにサンプルホールドし、且つそのホールド値が所定レベルを越える信号レベルであればそれをピークホールドしてフィードバックするフィードバックループを有する最大値比較回路と、
前記最大値比較回路から出力される差分信号に対して、ノイズ等の不要成分を除去するためにコアリングを行う第２のコアリング回路と、
前記第２のコアリング回路からの信号を入力し、所定のゲイン係数を乗算し、その乗算結果をリンギング成分として出力する乗算回路と、
を備えたことを特徴とする請求項１に記載の映像信号処理装置。
【請求項６】
前記コアリング値生成部は、前記リンギング検出部で検出されたリンギング成分を所定のゲイン係数と加算して、その加算値をコアリング値として生成する加算回路で構成されることを特徴とする請求項１に記載の映像信号処理装置。
【請求項７】
入力される映像信号のリンギング成分を検出するリンギング検出ステップと、
前記検出されたリンギング成分に応じてコアリング値を生成するコアリング値生成ステップと、
前記入力される映像信号から２次微分信号を算出し、この算出された２次微分信号に対して振幅制限，コアリング及びゲイン調整を含む非線形処理を行って、輪郭補正信号を生成するステップであって、前記コアリングは前記コアリング値生成ステップで生成したコアリング値により行う輪郭補正信号生成ステップと、
前記生成された輪郭補正信号を前記入力される映像信号と加算して出力する出力ステップと、
を具備したことを特徴とする映像信号処理方法。
【請求項８】
テレビ放送信号を受信し映像信号に復調する受信手段と、
前記復調した映像信号を信号処理する、請求項１乃至６のいずか１つに記載の映像信号処理装置と、
前記信号処理した映像信号を表示する表示手段と、
を備えたことを特徴とするテレビ放送受信装置。
【発明の詳細な説明】
【技術分野】
【０００１】
本発明は、輪郭補正信号を生成する際にリンギング成分の影響を除去するようにした映像信号処理装置、映像信号処理方法及びテレビ放送受信装置に関する。
【背景技術】
【０００２】
従来、テレビ受像機，ＤＶＤレコーダなどのテレビ放送受信装置では、受信したテレビ放送信号を復調して映像信号を得る一方、この映像信号を２次微分した信号を輪郭補正信号として用いて元の映像信号に加算することにより、画像の輪郭補正を行っている。以下の説明では主に水平方向の輪郭補正のための信号処理について説明する。
【０００３】
従来の水平輪郭補正回路としては、例えば特許文献１にあるように、入力される輝度信号から検出されるノイズ成分に応じて設定されるコアリング値によりコアリングを行うことのできる、輝度信号の輪郭成分を適応的に補正する方法及び補正回路が提案されている。
【特許文献１】特開平１０−１６４３９６号公報
【特許文献２】米国特許第６，１４８，１１６号明細書
【発明の開示】
【発明が解決しようとする課題】
【０００４】
しかしながら、特許文献１は、入力される輝度信号のノイズ成分に応じて設定されるコアリング値により輪郭成分に対するコアリングを行うことにより、画像の特性に応じて適応的な輪郭補正を行うための輪郭成分補正方法及び補正回路を提供するものであって、映像信号処理回路において映像信号波形の立上り部分に生じるリンギング成分に対しては何の配慮もされていなかった。
【０００５】
そこで、本発明は上記の問題に鑑みてなされたものであって、リンギング成分を含んだ映像信号に対してリンギング成分を弱めながら適切な輪郭補正を行うことができる映像信号処理装置、映像信号処理方法及びテレビ放送受信装置を提供することを目的とするものである。
【課題を解決するための手段】
【０００６】
本発明による映像信号処理装置は、入力される映像信号のリンギング成分を検出するリンギング検出部と、前記検出されたリンギング成分の変化に応じてコアリング値を生成するコアリング値生成部と、前記入力される映像信号から２次微分信号を算出し、この算出された２次微分信号に対して振幅制限，コアリング及びゲイン調整を含む非線形処理を行って、輪郭補正信号を生成するものであって、前記コアリングは前記コアリング値生成部からのコアリング値により行う輪郭補正信号生成部と、前記生成された輪郭補正信号を前記入力される映像信号と加算して出力する出力部と、を備えたものである。
【０００７】
本発明による上記の映像信号処理装置において、前記２次微分信号を入力し、該２次微分信号の振幅を前記コアリング値以下に制限して微小信号とし、この微小信号を前記輪郭補正信号又は前記入力される映像信号に反転加算することで、コアリング領域のノイズ成分を前記入力される映像信号から除去するためのノイズ成分除去信号を生成するコアリング領域ノイズ成分除去信号生成部を、さらに具備することが好ましい。
【０００８】
本発明による映像信号処理方法は、入力される映像信号のリンギング成分を検出するリンギング検出ステップと、前記検出されたリンギング成分に応じてコアリング値を生成するコアリング値生成ステップと、
前記入力される映像信号から２次微分信号を算出し、この算出された２次微分信号に対して振幅制限，コアリング及びゲイン調整を含む非線形処理を行って、輪郭補正信号を生成するステップであって、前記コアリングは前記コアリング値生成ステップで生成したコアリング値により行う輪郭補正信号生成ステップと、前記生成された輪郭補正信号を前記入力される映像信号と加算して出力する出力ステップと、を備えたものである。
【０００９】
本発明によるテレビ放送受信装置は、テレビ放送信号を受信し映像信号に復調する受信手段と、前記復調した映像信号を信号処理する、上述した映像信号処理装置と、前記信号処理した映像信号を表示する表示手段と、を備えたものである。
【発明の効果】
【００１０】
本発明によれば、入力される映像信号のリンギング成分に応じて設定されるコアリング値により輪郭補正信号に対するコアリングを行うことにより、リンギング成分を含んだ映像信号に対してリンギング成分の影響を受けない適切な輪郭補正を行うことが可能となる。
【発明を実施するための最良の形態】
【００１１】
発明の実施の形態について図面を参照して説明する。  
【実施例１】
【００１２】
図１は本発明の実施例１の映像信号処理装置を示すブロック図、図２乃至図４は図１の装置の動作を説明するための図、図５は図１と等価なシステムをソフトウェアで実現する際のフローチャート、図６は本発明の映像信号処理装置が適用されるテレビ放送受信装置を示すブロック図、図７は図６における映像信号処理装置の構成を示すブロック図である。
【００１３】
まず、図６及び図７から説明する。  
図６に示すテレビ放送受信装置は、デジタル放送とアナログ放送を受信可能なテレビ受像機である。デジタルＴＶ受信用アンテナ４１で受信したデジタルＴＶ信号はデジタルチューナ４２で受信されＭＰＥＧ２の信号に復調された後、このＭＰＥＧ２の信号はＭＰＥＧ２デコーダ４３でデコードされ輝度信号Ｙ及び色信号Ｃb/Ｃrとして出力される。
【００１４】
また、アナログＴＶ受信用アンテナ４６で受信したアナログＴＶ信号はアナログチューナ４７で受信され輝度信号Ｙ及び色信号Ｃb/Ｃrに復調された後、この復調信号はＡ／Ｄ変換部４８に供給されてデジタルの輝度信号Ｙ及び色信号Ｃb/Ｃrとなって出力される。
【００１５】
一方、外部入力端子４４に入力された、図示しないＶＴＲやＤＶＤレコーダなどの外部機器で再生されたＹ／Ｃ分離信号やコンポーネント信号は、Ａ／Ｄ変換部４８に供給されてデジタルの輝度信号Ｙ及び色信号Ｃb/Ｃrとなって出力される。
【００１６】
ＭＰＥＧ２デコーダ４３，Ａ／Ｄ変換部４５，４８から出力される３つの輝度信号Ｙ及び色信号Ｃb/Ｃrは、映像切替え回路としてのスイッチ部（ＳＷと略記）４９の３つの入力端に接続されており、スイッチ部４９ではユーザによる切替え操作に基づいてどれか１つの入力信号が選択される。スイッチ部４９で選択された輝度信号Ｙ及び色信号Ｃb/Ｃrは、映像信号処理装置５０で信号処理されてＲ，Ｇ，Ｂ信号となって出力され、出力デバイスとしてのデジタル表示デバイス７０の画面に表示される。デジタル表示デバイス７０としては、液晶ディスプレイ、プラズマディスプレイなどのフラットパネルが使用される。
【００１７】
上記映像信号処理装置５０は、図７に示すように、輝度信号Ｙ及び色信号Ｃb/Ｃrが入力されてそれらの信号の立上りを急峻にしたり或いはシャープネスを変えたりするエンハンサ処理を行う垂直・水平のエンハンサ部５３と、輝度信号Ｙのγ補正及びそのγ補正に伴う色信号の振幅コントロールを行う、適応的なコントラスト，ブライトネス及び色の制御部５４と、輝度信号Ｙ及び色信号Ｃb/ＣrをＲ，Ｇ，Ｂ信号に変換する色空間変換部５５と、Ｒ，Ｇ，Ｂ信号のγ補正を行って、出力デバイスに対するホワイトバランス調整を行うＲＧＢγ補正部５６と、前段で表現力を増すためにビット数が拡張された高階調のビット表現を、後段の出力デバイスに合った低階調のビット数へ変換する圧縮処理を行うディザ部５７とを備えて構成されている。
【００１８】
以下の本発明の実施例１の図１乃至図５では、上記映像信号処理装置５０における垂直・水平のエンハンサ部５３に用いられる水平輪郭補正回路を説明する。ここに説明する水平輪郭補正回路では、水平輪郭補正信号を生成する際に生ずるリンギング成分の影響を除去するようにしたものである。
【００１９】
図１において、映像信号処理装置５０における垂直・水平のエンハンサ部５３は、入力端子１に入力される映像信号のリンギング成分を検出し、検出結果をリンギング除去制御信号１１として出力するリンギング検出部２７と、前記検出されたリンギング成分の変化に応じて設定されるコアリング値を生成するコアリング値生成部２８と、前記入力端子１に入力される映像信号から２次微分信号を算出し、その算出された２次微分信号に対して振幅制限，コアリング及びゲイン調整を含む非線形処理を行って、輪郭補正信号を生成するものであって、前記コアリングは前記コアリング値生成部２８からのコアリング値により行う輪郭補正信号生成部２９と、前記生成された輪郭補正信号を前記入力端子１に入力される映像信号と加算して輪郭補正された映像信号を出力する出力部としての加算回路２５と、を備えている。コアリング値生成部２８は前記リンギング検出部２７で検出されたリンギング成分の変化に沿うように変化するコアリング値を生成する。
【００２０】
上記の構成に加えて、２次微分算出回路２からの２次微分信号を入力し、該２次微分信号の振幅を前記コアリング値以下に制限して微小信号とし、この微小信号を前記輪郭補正信号又は前記入力端子１に入力される映像信号に反転加算することで、コアリング領域のノイズ成分を前記入力される映像信号から除去するためのノイズ成分除去信号２３を生成するコアリング領域ノイズ成分除去信号生成部３０を備えている。
【００２１】
前記コアリング領域ノイズ成分除去信号生成部３０は、前記２次微分信号を入力し、該２次微分信号の振幅を前記コアリング回路１３のコアリング値以下に制限して微小信号とするリミット回路１４と、前記リンギング検出部２７で検出されたリンギング成分に応じた負のゲインを前記微小信号に乗算する乗算回路１９と、この乗算回路１９により得られた負のゲインを乗算された微小信号をノイズ成分除去信号２３として、前記輪郭補正信号又は前記入力される映像信号に加算する加算回路２４と、を備えている。なお、加算回路２４をなくし、ノイズ成分除去信号２３を加算回路２５に入力して、加算回路２５で３つの信号を加算する構成としてもよく、或いは、加算回路２４を移動し加算回路２５の出力側に配置した構成としてもよい。
【００２２】
さらに、上記リンギング検出部２７，上記輪郭補正信号生成部２９及びコアリング領域ノイズ成分除去信号生成部３０の各部を構成する回路部を制御するもので、これらの回路部に第１乃至第５のゲイン係数を供給するための制御部３１を有している。制御部３１としては、例えばマイクロプロセッサが用いられる。
【００２３】
上記輪郭補正信号生成部２９は、入力端子１に入力される映像信号から２次微分信号を算出する２次微分算出回路２と、前記２次微分信号に対して、大信号振幅には輪郭補正を行わないために振幅制限を行う第１のリミット回路（ＬＩＭと略記）１２と、この第１のリミット回路１２からの信号を入力し、リンギング除去制御信号１１にてコアリング値が制御され、前記第１のリミット回路１２から入力した信号に対して、ノイズ等の微小信号振幅に影響を受けないようにコアリングを行う第１のコアリング回路１３と、この第１のコアリング回路１３からの信号に対して、第１のゲイン係数１８で設定されるゲイン調整を行い、輪郭補正信号として出力する第１の乗算回路１７と、を備えている。前記２次微分算出回路２としては、例えばバンドパスフィルタの組合せが用いられる。
【００２４】
一方、上記リンギング検出部２７は、入力端子１に入力される入力映像信号の輝度に対するエッジを検出するための輝度エッジ検出回路３と、この輝度エッジ検出回路３で検出したエッジレベルを一方の入力端に入力し、以前のエッジレベルを他方の入力端に入力して両入力を比較し、その差分を出力するもので、エッジ検出時に最大レベルを出力し、これを前記他方の入力端に適宜の減衰レベルを設定するフィードバックゲイン（Feedback Gain）７で乗算回路６を用いてフィードバックし、且つその前記他方の入力端へのフィードバックの際、遅延回路５にて画素ごとにサンプルホールドし、且つそのホールド値が所定レベルを越える信号レベルであればそれをピークホールドしてフィードバックするフィードバックループを有する最大値比較回路４と、この最大値比較回路４から出力される差分信号に対して、ノイズ等の不要成分を除去するためにコアリングを行う第２のコアリング回路８と、この第２のコアリング回路８からの信号を入力し、所定のゲイン係数１０を乗算し、その乗算結果をリンギング除去制御信号１１として出力する乗算回路９と、を備えている。
【００２５】
次に、図１のように構成された装置の作用を説明する。  
輪郭補正信号生成部２９及びコアリング領域ノイズ成分除去信号生成部３０では、入力端子１に入力した映像信号から、２次微分算出回路２により２次微分信号を算出し、大信号振幅には輪郭補正を行わないためにリミット回路１２により振幅制限を行った後、ここで信号振幅が第２のゲイン係数であるシャープネスレベル1（Sharpness Level）１６を用いて設定されるレベルで２つの経路に分かれる。即ち、ノイズ等の微小信号振幅に影響を受けなようにするためのコアリング回路１３とこれに続く乗算回路１７により第１のゲイン係数であるシャープネスゲイン1（Sharpness1 Gain）１８で設定されるゲイン調整を行う第１の経路、微小信号領域の作用を決定するためにリミット回路１４により振幅制限を行った後、乗算回路１９により第３のゲイン係数であるシャープネスゲイン（Sharpness2 Gain）２１を用いて設定されるゲイン調整を行う第２の経路、この２つの経路により得られた信号２２，２３を加算回路２４により加算し、この加算信号をさらに加算回路２５により元信号である入力端子１からの入力映像信号に加算し、出力端子２６に輪郭補正された映像信号を出力する。第２の経路で得られるコアリング領域ノイズ成分除去信号２３は、コアリング領域の小振幅信号を元信号である入力端子１からの入力映像信号に反転加算するための信号であり、これによってコアリング領域におけるノイズ圧縮効果を得ることができる。
【００２６】
リンギング検出部２７では、入力端子１に入力した映像信号の輝度に対するエッジを輝度エッジ検出回路３で検出し、その検出レベルを最大値比較回路４にて以前のエッジレベルと比較する。輝度エッジ検出回路３で立上りエッジを検出した場合は、以前のエッジレベルがほぼ０である状態からの立上りであるため、最大値比較回路４の比較結果である差分信号は最大レベルとなるが、それが以前のエッジレベルとして最大値比較回路４の一方の入力端にフィードバックされ、そのとき第４のゲイン係数であるフィードバックゲイン（Feedback Gain）７を１以下の値に設定しておくことで、それによって乗算回路６でゲイン制御されたフィードバック信号が輝度エッジ検出回路３からのエッジ検出信号と差分がとられ、リンギング発生起点（エッジ起点）で最大でそれから徐々に減衰するリンギン検出信号となって最大値比較回路４から出力されることになる。このリンギン検出信号は後段のコアリング回路８で不要なノイズ成分をコアリング（芯抜き）され、更に乗算回路９で第５のゲイン係数であるリンギングキラーゲイン（RingingKiller Gain）１０を乗算し振幅調整されることによって、リンギング成分の変化に対応したリンギング除去制御信号１１として出力される。
【００２７】
リンギング検出部２７で入力映像信号からリンギング成分を検出すると、検出結果としてのリンギング除去制御信号１１が、加算回路１５に入力され、第２のゲイン係数であるシャープネスレベル1（Sharpness Level）１６で設定されていたコアリング回路１３へのコアリング値を引き上げる。これによりコアリング回路１３でコアリング成分が除去されるので、輝度エッジの後方に発生するリンギング成分に対して輪郭補正による強調作用を弱める又は強調作用がかからないように止める働きをする。
【００２８】
さらに、リンギング除去制御信号１１は加算回路２０に入力され、第３のゲイン係数であるシャープネスゲイン2（Sharpness2 Gain）２１で設定されている微小振幅領域へのゲイン調整値を引き下げる。その結果、リミット回路１４で振幅制限された微小信号に対して乗算回路１９にて乗算するゲインが負のゲインにまで引き下げられる。この際にシャープネスゲイン2（Sharpness2 Gain）２１で設定される値の幅を負の値（例えば−１）まで広げておくと、元信号の振幅に対して常に反転加算になり、コアリング領域の微小信号の振幅レベルを打ち消す方向に作用する。以上の２つの効果を組み合わせることにより、リンギング成分を検出した際には、リンギング成分を弱めるまたは除去する方向に作用することができる。
【００２９】
本発明の実施例１によれば、入力された映像信号の輝度信号に対するエッジ検出回路３と水平輪郭補正回路を具備し、輪郭補正信号生成部２９においては、リンギング発生の起点となる輝度信号のエッジを検出した際に、水平輪郭補正回路の２次微分信号の所定の振幅以下をカットするコアリング回路１３へのコアリング値を引き上げることで、リンギングの除去効果を高めることができ、且つ、コアリング値より微小な２次微分信号に対してゲイン特性を落とし、負のゲインを与えて反転加算することで、元の入力映像信号からリンギング発生時の微小振幅のノイズ成分を除去することが可能となる。
【００３０】
さらに、リンギング検出部２７においては、最大値比較回路４によるエッジレベルの比較結果をピークホールドする際にリンギング発生起点より減衰させながらピークホールドを行うため、エッジレベルの検出がされないと、０に収束するように徐々にピークホールドによるリンギング除去効果を薄めていき、リンギング除去制御信号が働かなくなる。これにより大信号振幅後に発生するリンギング成分以外のレベルの小さな信号振幅に対しては輪郭補正効果を維持することが可能になる。
【００３１】
しかも、本発明の実施例１によれば、ゲインコントロールによるパラメータ制御であるので、集積回路化特にＬＳＩに適した映像信号処理装置を実現することが可能となる。
【００３２】
図２(a)は入力映像信号の波形を、図２(b)の実線は図２(a)の入力映像信号を２次微分した２次微分信号の波形をそれぞれ示している。図２(b)の点線は図３に示すリンギングの影響を受けた２次微分信号の波形を示している。コアリングΔＶについては図４で後述する。図２(c)は図２(b)のリンギング（点線）を除去するように生成されたコアリング値ΔＶの変化を示している。図２(c)でコアリング値ΔＶの中心線と平行な上下のレベルはノイズ成分（図４参照）を除去するためのコアリング値に相当しており、平行な上下レベルのラインを越えるなだらかな裾状の傾斜を後方に持った突状部分がリンギング成分を除去するためのコアリング値に相当している。
【００３３】
図３に示すように、リンギングは電子回路において過渡現象によって波形の立上り部分に生ずる振動であり、リンギング発生起点において振幅が大きく時間経過と共に次第に減衰し振幅０に至る。映像信号処理装置でこのリンギング現象を生ずると、表示デバイス７０の画面に表示される映像のエッジ部分（信号レベルが黒から白又は白から黒）のところに、振動性の縞（白黒）ができる。
【００３４】
図４は図１のコアリング回路１３（又は８）のコアリング特性を示す説明図である。  
グラフ６１はコアリング回路１３に入力する２次微分信号Ｆ、グラフ６２はコアリング回路１３のコアリング特性、グラフ６３はコアリング回路１３から出力する出力信号Ｇを示している。グラフ６１は、縦軸に時間ｔをとり、横軸をグラフ６２の横軸と共用している。グラフ６２は、縦軸に出力信号Ｇのレベルｙをとり、横軸に２次微分信号のレベルｘをとっている。グラフ６３は、縦軸をグラフ６２の縦軸と共用し、横軸に時間ｔをとっている。
【００３５】
コアリング回路１３に入力する２次微分信号において、ノイズ成分は振幅が比較的小さく、映像の輪郭による映像信号のエッジや映像の精細な部分による本来の映像の高域成分は振幅が比較的大きいという特徴がある。一方、リンギングは発生起点より所定期間はその振幅がノイズ成分より比較的大きいものである。このため、ノイズ成分を除去するためには、コアリング回路１３のコアリング特性は、入力する２次微分信号のレベルｘのノイズ成分を幾分上回る領域ΔＶ（−ΔＶ／２≦ｘ≦ΔＶ／２）を上述のコアリング値ΔＶとし、この領域ΔＶにおいて、出力する出力信号Ｇのレベルｙがｙ＝０となるように設定している。
【００３６】
また、コアリング回路１３のコアリング特性は、領域ΔＶよりもレベルｘが大きな領域（ΔＶ／２＜ｘ）では、レベルｙがｙ＝ｘ−ΔＶ／２となるように設定している。この場合の２次微分信号から出力信号Ｇへの変換を、２次微分信号の頂点（ｔ，ｘ）＝（ｔ１，ｘ１）を例にして説明すると、時間ｔ＝ｔ１において、２次微分信号がレベルｘ＝ｘ１にある場合には、コアリング回路１３のコアリング特性により、出力信号Ｇのレベルｙは、ｘ１−ΔＶ／２となる。これにより、２次微分信号の頂点（ｔ，ｘ）＝（ｔ１，ｘ１）は、コアリング回路１３により出力信号Ｇの頂点（ｔ，ｙ）＝（ｔ１，ｘ１−ΔＶ／２）に対応することになる。
【００３７】
さらに、コアリング回路１３のコアリング特性は、領域ΔＶよりもレベルｘが小さな領域（−ΔＶ／２＞ｘ）では、レベルｙがｙ＝ｘ＋ΔＶ／２となるように設定している。
【００３８】
このような設定により、コアリング回路１３から入力する２次微分信号は、コアリング値ΔＶでコアリング（芯抜き）され、芯抜きされた部分が振幅０に圧縮された出力信号Ｇとなる。これにより出力信号Ｇは、振幅が小さいノイズ成分が除去される。
【００３９】
上記したコアリング回路１３では、ノイズ低減効果を大きくしたい場合はコアリング回路１３のコアリング値ΔＶを大きく設定し、画面の解像度を大きくしたい場合はコアリング回路１３のコアリング値ΔＶを小さく設定すればよい。
【００４０】
さらに、リンギング成分を除去するためには、リンギング発生の起点である輝度エッジを検出した際に、リンギング検出部２７からのリンギング除去制御信号１１に基づいてそのエッジ検出点からリンギングの影響がある（リンギング振動がある）所定の期間は、輪郭補正信号生成部２９の２次微分信号の所定の振幅以下のノイズ成分をカットするためのコアリング値ΔＶをその期間の間だけ引き上げる方向に作用させ、リンギング成分を弱めるまたは除去するようにしている。
【００４１】
図５は図１と等価なシステムをソフトウェアで実現する際のフローチャートを示している。符号Ａ〜Ｋは、図１における各部の信号に対応している。
【００４２】
まず、リンギング検出処理において、入力映像信号より輝度エッジを検出し、そのエッジ検出信号をＡとし（ステップＳ1）、エッジ検出信号Ａと以前のエッジレベルとを最大値比較処理で比較し、その差分信号をＢとする（ステップＳ2）。その差分信号Ｂはフィードバックゲイン（Feedback Gain）７と乗算され、サンプルホールドされてＣ2とされ（ステップＳ3）、再び最大値比較処理で次のエッジレベルと比較される。
【００４３】
最大値比較処理の比較出力である差分信号Ｂは、コアリング処理で微小振幅のコアリングがなされＣ1とされる（ステップＳ4）。コアリング処理の出力であるＣ1にリンギングキラーゲイン（RingingKiller Gain）１０を乗算し、その乗算結果をＤとする（ステップＳ5）。
【００４４】
次に、輪郭補正生成処理において、入力映像信号より２次微分信号を算出し、その２次微分信号をＥとする（ステップＳ6）。そして、２次微分信号Ｅをリミット処理で振幅制限し、Ｆとする（ステップＳ7）。
【００４５】
振幅制限した２次微分信号Ｆに対して、シャープネスレベル（Sharpness Level）１６と前記リンギングキラーゲイン（RingingKiller Gain）１０を乗算した信号レベルＤとの和をコアリング値として用いてコアリング処理を施し、そのコアリング処理された２次微分信号をＧとする（ステップＳ8）。そして、２次微分信号Ｇにシャープネスゲイン（Sharpness1 Gain）１８を乗算して、その乗算結果をＨとする（ステップＳ9）。
【００４６】
一方、振幅制限した２次微分信号Ｆに対して、シャープネスレベル（Sharpness Level）１６で更に振幅制限し、これを信号Ｉとする（ステップＳ10）。信号Ｉに、シャープネスゲイン（Sharpness2 Gain）２１と前記リンギングキラーゲイン（RingingKiller Gain）１０を乗算した信号レベルＤとの差を乗算して、信号Ｊとする（ステップＳ11）。
【００４７】
前記シャープネスゲイン（Sharpness1 Gain）１８を乗算した信号Ｈと前記信号Ｊとを加算し、水平輪郭補正信号Ｋとする（ステップＳ12）。輪郭補正信号Ｋを元の入力映像信号に加算し（ステップＳ13）、水平輪郭補正された映像信号を得る。
【産業上の利用可能性】
【００４８】
本発明は、リンギングが問題となる画質補正回路などの映像信号処理装置の集積回路化特にＬＳＩ化に適用して有効である。従って、映像信号処理を伴うテレビ受像機や映像信号記録再生装置を含む映像機器に応用して有用である。
【図面の簡単な説明】
【００４９】
【図１】本発明の実施例１の映像信号処理装置を示すブロック図。
【図２】図１の装置の動作を説明するための図。
【図３】リンギング波形図。
【図４】図１の装置におけるコアリング回路の動作を説明するための図。
【図５】図１と等価なシステムをソフトウェアで実現する際のフローチャート。
【図６】本発明の映像信号処理装置が適用されるテレビ放送受信装置を示すブロック図。
【図７】図６における映像信号処理装置の構成を示すブロック図。
【符号の説明】
【００５０】
１…映像信号入力端子
２…２次微分算出回路
３…輝度エッジ検出回路
６，９，１７，１９…乗算回路
１３…コアリング回路
１５，２０，２４，２５…加算回路
２７…リンギング検出部
２８…コアリング値生成部
２９…輪郭補正信号生成部
３０…コアリング領域ノイズ成分除去信号生成部
３１…制御部
代理人    弁理士      伊    藤      進 
【図１】
2006179975.tif 000003
【図２】
2006179975.tif 000004
【図３】
2006179975.tif 000005
【図４】
2006179975.tif 000006
【図５】
2006179975.tif 000007
【図６】
2006179975.tif 000008
【図７】
2006179975.tif 000009